【手続補正書】
【提出日】平成15年11月7日(2003.11.7)
【手続補正１】
【補正対象書類名】明細書
【補正対象項目名】全文
【補正方法】変更
【補正の内容】
【発明の名称】作業台
【特許請求の範囲】
【請求項１】上部に手摺支柱を延設した一対の支柱脚間に複数の踏桟を適宜間隔で取り付けて梯子枠を形成し、該梯子枠の一対を対向させ上端を相互に回動自在に軸着し、支柱脚の上部位置で梯子枠間に踏板ユニットを折り畳み自在に架け渡し、前記支柱脚を上部主脚と下部主脚との分割体で構成し、上部主脚の下端と下部主脚の上端とを連結金具で回動自在に連結し、上部主脚と下部主脚を平行に折り畳み自在に組み合わせた作業台において、前記対向する梯子枠の少なくとも一方の下部にキャスターを取り付けたことを特徴とする作業台。
【請求項２】キャスターは対向する梯子枠の少なくとも一方の下部内側に取り付ける請求項１記載の作業台。
【請求項３】キャスターは最下段の踏桟の下部内側に固定される請求項１または請求項２記載の作業台。
【請求項４】連結金具は上部主脚に固定される第１の金具と、下部主脚に固定される第２の金具とで構成し、第１と第２の金具の端部を回動自在に軸着し、第２の金具の方向に突出するようにバネにより付勢されたロックピンを第１の金具に出没自在に設け、該ロックピンが挿入するロック孔と前記バネの弾力に抗してロックピンを押圧する押圧部とを第２の金具に設け、ロックピンに解除レバーを固着するとともに該解除レバーが係合する解除用のカムを第１の金具に固着した請求項１記載の作業台。
【請求項５】ロックピンに作動ピンを突設し、第２の金具に該作動ピンが係合してロックピンを突出位置に突出させる係止爪を設けた請求項４記載の作業台。
【発明の詳細な説明】
【０００１】
【発明の属する技術分野】
本発明は、建築工事現場、建築物の天井や壁面などの内外装作業、電気配線作業などの高所作業に使用する作業台に関するものである。
【０００２】
【従来の技術】
作業台には、上部に手摺支柱を延設した一対の支柱脚間に複数の踏桟を適宜間隔で取り付けて梯子枠を形成し、該梯子枠の一対を対向させ上端を相互に回動自在に軸着し、支柱脚の上部位置で梯子枠間に踏板ユニットを折り畳み自在に架け渡し、手摺支柱の上部に、一対の梯子枠のそれぞれの外方に向けて略水平方向に突出する手摺枠を折り畳み自在に取り付けたものがある。
【０００３】
これは、例えば、出願人が特願平２００１−２６２７２９号として先に提案した図２９に示すように、一対の梯子枠３と、該梯子枠３間に折り畳み自在に架け渡した踏板ユニット６と、一対の梯子枠３の上部に折り畳み自在にそれぞれ取り付けた手摺枠８、９とで作業台５を構成する。
【０００４】
梯子枠３は、一対の支柱脚１、１の間に適宜間隔（図示の例では高さ方向に約300 ｍｍ間隔）で複数本（図示の例では７本）の踏桟２を架け渡し、支柱脚１の上端から手摺支柱４を上方に向けて延設したもので、支柱脚１、手摺支柱４ともに材質としては例えばアルミニウム合金を使用し、断面コ字形に形成した。
【０００５】
支柱脚１は上部主脚１ａと下部主脚１ｂに分割し、上部主脚１ａの下端と下部主脚１ｂの上端とを連結金具10で回動自在に連結し、下部主脚１ｂを上部主脚１ａに対して上方に回動自在に組み合わせた。
【０００６】
そして、踏桟２の長さは、下部主脚１ｂでは上段のものになるにしたがい短いものとして、支柱脚１、１の間隔が上方にいくにしたがい狭くなるように形成する。
【０００７】
支柱脚１の上端部に位置させて、対向する支柱脚１、１の間に踏板ユニット６を回動自在に取り付ける。該踏板ユニット６は、平板状の踏板６ａと、該踏板６ａを下方から支承するステイ６ｂとで構成し、ステイ６ｂは一端を踏板６ａの下部のほぼ中央位置に回動自在に軸着し、他端を支柱脚１の上端部または手摺支柱４の下端部、または支柱脚１と手摺支柱４との境界部に取付金具で回動自在に軸着する。
【０００８】
踏板６ａは、ステイ６ｂが重合されない側の端部を、取付金具で支柱脚１の上端部または手摺支柱４の下端部、または支柱脚１と手摺支柱４との境界部に回動自在に軸着する。
【０００９】
手摺支柱４、４の上端部は突き合わせて、矩形状の回転金具11で回動自在に結合する。図中14は支柱脚１の下部に伸長自在に取り付けた延長脚を示す。
【００１０】
梯子枠３の上部の手摺支柱４に取り付ける手摺枠８、９は、手摺支柱４の途中に基端が上下に回動自在に軸着するステイ13と、該ステイ13の先端に回動自在に組み合わさり開口端部が手摺支柱４の上端に着脱自在に係止する手摺枠本体12とで構成し、アルミニウム合金などを用い、手摺枠本体12は円筒の中空に形成した型材を平面コ字形に形成した。
【００１１】
図３０は作業台５を折り畳んだ収納状態であり、この状態では、下部主脚１ｂが連結金具10を介して上方に折り畳まれて上部主脚１ａおよび手摺支柱４と重合している。また、踏板ユニット６は、ステイ６ｂと踏板６ａとが、その軸着による連結部が上方に移動することでステイ６ｂと踏板６ａとがそれぞれ梯子枠３との軸着部を中心にして上方に回動し、対向する梯子枠３の間にこれと平行に折り畳まれる。
【００１２】
作業台５を使用するには、このように偏平かつ短尺に折り畳まれた状態で、手摺付作業台５を使用現場に搬入して使用するには、下部主脚１ｂを連結金具10を介して下方に回動し、上部主脚１ａと１本になる状態として、一対の梯子枠３、３を上部の回転金具11の部分を軸としてハの字形に開く。この状態で踏板ユニット６は手摺付作業台５の開脚に連動して踏板６ａとステイ６ｂとが水平状態となる。
【００１３】
また、手摺枠８、９についてもステイ１３と手摺枠本体１２が平行に折り畳まれて手摺支柱４の内側に納まった状態から、踏板６ａの上に立って手摺枠本体１２を水平位置まで引き上げて手摺支柱４間の前方と後方とにセットする。そして、手摺支柱４および手摺枠８、９とで囲まれた空間内の踏板６ａの上で作業する。
【００１４】
【発明が解決しようとする課題】
作業現場ではエレベータ等を利用して作業台５の運搬を行うことが多いが、作業台５の作業床高さが２ｍないし２ｍを越えるようなものにあっては、エレベータに持ち込み可能な長さにするためには前記のように支柱脚１（梯子枠３）を折り畳み自在な構造とすることが多い。
【００１５】
かかる場合に、コンパクトな折り畳んだ状態であっても、これを運搬するには作業者が一人で脇などに抱えることは困難であり、二人以上で持ち運ぶことになり、作業性がよくない。また、移動距離が短いときは、折り畳まずに運搬することも多いが、このような場合、支柱脚１（梯子枠３）は伸長したままの状態にあり、これを一人で運搬することは非常に難しい。
【００１６】
本発明の目的は前記従来例の不都合を解消し、梯子枠を折り畳み自在な構造とした作業台において、折り畳んだ状態ではもちろんのこと、対向する梯子枠の一方だけを折り畳めば、作業者が一人でも容易に運搬移動でき使い勝手のよい作業台を提供することにある。
【００１７】
【課題を解決するための手段】
本発明は前記目的を達成するため、第１に、上部に手摺支柱を延設した一対の支柱脚間に複数の踏桟を適宜間隔で取り付けて梯子枠を形成し、該梯子枠の一対を対向させ上端を相互に回動自在に軸着し、支柱脚の上部位置で梯子枠間に踏板ユニットを折り畳み自在に架け渡し、前記支柱脚を上部主脚と下部主脚との分割体で構成し、上部主脚の下端と下部主脚の上端とを連結金具で回動自在に連結し、上部主脚と下部主脚を平行に折り畳み自在に組み合わせた作業台において、前記対向する梯子枠の少なくとも一方の下部内側にキャスターを取り付けたことを要旨とするものである。
【００１８】
第２に、キャスターは対向する梯子枠の少なくとも一方の下部内側に取り付けること、第３に、キャスターは最下段の踏桟の下部内側に固定されることを要旨とするものである。
【００１９】
第４に、連結金具は上部主脚に固定される第１の金具と、下部主脚に固定される第２の金具とで構成し、第１と第２の金具の端部を回動自在に軸着し、第２の金具の方向に突出するようにバネにより付勢されたロックピンを第１の金具に出没自在に設け、該ロックピンが挿入するロック孔と前記バネの弾力に抗してロックピンを押圧する押圧部とを第２の金具に設け、ロックピンに解除レバーを固着するとともに該解除レバーが係合する解除用のカムを第１の金具に固着したことを要旨とするものである。
【００２０】
第５に、ロックピンに作動ピンを突設し、第２の金具に該作動ピンが係合してロックピンを突出位置に突出させる係止爪を設けたことを要旨とするものである。
【００２１】
請求項１および請求項２記載の本発明によれば、対向する梯子枠の少なくとも一方の下部にキャスターを取り付けたことにより、キャスターを使用して容易に運搬できる。また、下部内側にキャスターを取り付けたことにより、対向する両側の上部主脚と下部主脚を平行に折り畳んだ状態では、キャスターが主脚の外側に位置するから、このコンパクトな荷姿でキャスターを接地させて作業台を離れた場所まで簡単に運搬できる。また、小移動のときは、片側の梯子枠のみを折り畳めば、対向する梯子枠の内側に取り付けてあるキャスターを使用して容易に運搬できる。
【００２２】
請求項３記載の本発明によれば、前記作用に加えて、キャスターを最下段の踏桟の下部内側に固定することで、対向する梯子枠を平行に閉じるときには、キャスターは対向する踏桟の下方に入りこむから、一方の梯子枠の内側に突出しているキャスターが他方の梯子枠にぶつかることがなく、梯子枠の折り畳みに支障が生じることもない。また、梯子枠を開いたときも、ハ字形に開脚する梯子枠の内側にキャスターが位置するから、作業台の周辺で作業する際に、キャスターが邪魔になることもない。
【００２３】
請求項４記載の本発明によれば、前記作用に加えて、折り畳まれた状態の上部主脚と下部主脚とを一本の梯子枠に開く際には、上部主脚と下部主脚とを連結金具の箇所から開けば、ロックピンは押圧部により押圧されて第２の金具の内側に入り込み、この状態からさらに梯子枠が開かれて直線状に開いた状態のところでバネの弾力によりロックピンがロック孔に自動的に挿入されるから、格別の操作を要せずに梯子枠が形成される。そして、この状態にロックされるから、作業台として使用中に梯子枠が途中から折れるおそれもなく安全を確保できる。
【００２４】
また、直線状の梯子枠を折り畳むには、解除レバーを回動するだけで解除レバーが解除用のカムに噛み合ってカムによりロックピンがロック孔から抜け出し、ロックが解除される。よって、上部主脚と下部主脚とを連結金具の箇所から偏平に折り畳むことができ、梯子枠に取り付けたキャスターを利用して作業台を移動する際に、作業台を畳んだり、開いたりすることの作業も容易に行えて、使い勝手のよいものにできる。
【００２５】
請求項５記載の本発明によれば、前記作用に加えて、ロックピンに作動ピンを突設し、第２の金具に該作動ピンが係合してロックピンを突出位置に突出させる係止爪を設けたことにより、ロック解除の際に、ロックピンがロック孔から抜け出てロック解除状態となった後、作動ピンが係止爪に係合し係止爪に押されることでロックピンが回動し、バネの弾力で突出位置に復位し、この状態で梯子枠が折り畳まれる。
【００２６】
また、ロックピンが第１の金具から突出していない状態で梯子枠を開こうとすると、その途中で作動ピンが係止爪に係合し係止爪で押されることでロックピンが回動し、バネの弾力で一旦突出状態となり、この状態からロックピンは押圧部により押圧されて第２の金具の内側に入り込み、この状態からさらに梯子枠が開かれて直線状に開いた状態のところでバネの弾力によりロックピンがロック孔に自動的に挿入される。
【００２７】
よって、梯子枠を折り畳むときにはロックピンを突出位置に復位でき、次に梯子枠を開く際に押圧部によってロックピンが押される状態にして待機させることができ、また、ロックピンを突出位置に復位できず没入位置から梯子枠を開くことになっても、梯子枠を開く途中でロックピンを一旦突出位置に復位できるから、いずれの場合も梯子枠を開く際にはロックピンを突出させて押圧部で第２の金具の内部に確実に没入でき、確実にロックできる。
【００２８】
【発明の実施の形態】
以下、図面について本発明の実施の形態を詳細に説明する。図１は、本発明の作業台の実施の形態を示す側面図、図２は同上正面図、図３は同上平面図、図４は同上折り畳んだ状態の正面図、図５は同上折り畳んだ状態の側面図で、作業台の基本構造は図29に示した従来例と基本的には同様であり、従来例と同一の構成要素には同一の参照符号を付してある。
【００２９】
本発明の作業台５も、一対の梯子枠３と、該梯子枠３間に折り畳み自在に架け渡した踏板ユニット６と、一対の梯子枠３の上部に折り畳み自在にそれぞれ取り付けた手摺枠８、９とで構成する。
【００３０】
梯子枠３は、一対の支柱脚１、１の間に適宜間隔（図示の例では高さ方向に約300 ｍｍ間隔）で複数本（図示の例では５本）の踏桟２を架け渡し、支柱脚１の上端から手摺支柱４を上方に向けて延設したもので、支柱脚１、手摺支柱４ともに材質としては例えばアルミニウム合金を使用し、断面コ字形に形成した。
【００３１】
支柱脚１は本実施形態では上部主脚１ａと下部主脚１ｂに分割し、上部主脚１ａの下端と下部主脚１ｂの上端とを連結金具10で回動自在に連結し、下部主脚１ｂを上部主脚１ａに対して上方に回動自在に組み合わせた。
【００３２】
そして、踏桟２の長さは、下部主脚１ｂでは上段のものになるにしたがい短いものとして、支柱脚１、１の間隔が上方にいくにしたがい狭くなるように形成する。
【００３３】
支柱脚１の上端部に位置させて、対向する支柱脚１、１の間に踏板ユニット６を回動自在に取り付ける。該踏板ユニット６は、踏板６ａと、該踏板６ａを下方から支承するステイ６ｂとで構成し、ステイ６ｂは一端を踏板６ａの下部のほぼ中央位置に回動自在に軸着し、他端を支柱脚１の上端部または手摺支柱４の下端部、または支柱脚１と手摺支柱４との境界部に取付金具で回動自在に軸着する。
【００３４】
踏板６ａは、ステイ６ｂが重合されない側の端部を、取付金具で支柱脚１の上端部または手摺支柱４の下端部、または支柱脚１と手摺支柱４との境界部に回動自在に軸着する。
【００３５】
手摺支柱４、４の上端部は突き合わせて、矩形状の回転金具11で回動自在に結合する。
【００３６】
梯子枠３の上部の手摺支柱４に取り付ける手摺枠８、９は、手摺支柱４の途中に基端が上下に回動自在に軸着するステイ13と、該ステイ13の先端に回動自在に組み合わさり開口端部が手摺支柱４の上端に着脱自在に係止する手摺枠本体12とで構成し、アルミニウム合金などを用い、手摺枠本体12は円筒の中空に形成した型材を平面コ字形に形成した。
【００３７】
本発明では、上部主脚１ａの下端と下部主脚１ｂの上端とを回動自在に軸着する連結金具10の構成として、図８〜図12に示すように上部主脚１ａに固定される第１の金具15と、下部主脚１ｂに固定される第２の金具16とで構成し、第１の金具15を内側にして第１の金具15と第２の金具16の端部をピン17で回動自在に軸着した。
【００３８】
第１の金具15は、平面コ字形の本体部の対向する一方の片18ａを下方に延長し、この延長部に上部主脚１ａをビスで固定したもので、対向する他方の片18ｂとの間に、先端が片18ａの外側に突出するようにバネ19で付勢したロックピン20をスライド自在に取り付ける。図中35は、対向する片18ａ、18ｂを連結する片に形成した切欠きを示し、後述の係止爪28の先端が挿入する空隙を確保するためのものである。
【００３９】
第２の金具16は、平面コ字形の本体部の対向する一方の片21ａを下方に延長し、この延長部に下部主脚１ｂをビスで固定したもので、前記片21ａの上部分に前記ロックピン20が挿入するロック孔22を形成するとともに、上端にロックピン20をバネ19の弾力に抗して没入方向に押圧する押圧部23を上方に向けて外方に傾斜するテーパー状の突出片で形成した。
【００４０】
また、ロックピン20の他端を片18ｂの外側に突出させ、この突出部にロック解除のための解除レバー24をロックピン20と直交する方向に向けて固着し、片18ｂの外側でロックピン20の前記突出部分を囲むようにして該解除レバー24が係合する解除用のカム25を固着する。該カム25は円筒状体の先端面をテーパー面25ａに形成したもので、解除レバー24の基端部がこのテーパー面25ａの上を移動することでロックピン20がロック孔22に対して出没方向に移動する。
【００４１】
ロックピン20のほぼ中央位置の途中にバネ受け26を取り付け、該バネ受け26の外側に作動ピン27をロックピン20と直交させて突設し、第２の金具16には該作動ピン27が係合してロックピン20を突出位置に復位させる係止爪28を設けた。この係止爪28は、第２の金具16片21ａと片21ｂとを結合する片21ｃの上部に内側に傾斜するテーパー片として形成した。
【００４２】
さらに、図１、図４〜図７に示すようにかかる作業台５の支柱脚１の下方部分で、対向する梯子枠３の少なくとも一方の下部内側、図示の例では最下段の踏桟２の支柱脚１寄りに位置させて踏桟２の下部内側にキャスター29を取り付ける。この場合、キャスター29は対向する支柱脚１の一方の側にのみ取り付けた。
【００４３】
次に使用法について説明する。図４、図５は作業台５を折り畳んだ収納状態であり、この状態では、下部主脚１ｂが連結金具10を介して上方に折り畳まれて上部主脚１ａおよび手摺支柱４と重合している。また、踏板ユニット６は、ステイ６ｂと踏板６ａとが、その軸着による連結部が上方に移動することでステイ６ｂと踏板６ａとがそれぞれ梯子枠３との軸着部を中心にして上方に回動し、対向する梯子枠３の間にこれと平行に折り畳まれる。
【００４４】
この状態でキャスター29は支柱脚１から外側に向けて突出するから、図28に示すようにキャスター29を接地させて連結金具10の箇所を上部にして手で引っ張れば、長距離でもエレベータ等の中でも作業台５を一人で簡単に移動できる。
【００４５】
また、移動距離が短い場合は、図27に示すように対向する支柱脚１のうち、キャスター29が取り付けられていない側の支柱脚１のみを折り畳んで、キャスター29が取り付けられている側の支柱脚１は伸長したままにしておき、この状態でキャスター29を接地させて作業台５を手で引っ張れば、簡単に移動できる。
【００４６】
このように偏平に折り畳まれた状態で、作業台５を使用現場に搬入して使用するには、下部主脚１ｂを連結金具10を介して下方に回動し、上部主脚１ａと１本になる状態として、一対の梯子枠３、３を上部の回転金具11の部分を軸としてハの字形に開く。この状態で踏板ユニット６は作業台５の開脚に連動して踏板６ａとステイ６ｂとが水平状態となる。
【００４７】
この場合、支柱脚１が偏平に折り畳まれた状態では図８、図９に示すように第１の金具15に取り付けてあるロックピン20の先端はバネ19の弾力により第１の金具15の片18ａから外方に突出している。
【００４８】
そして、前記のように下部主脚１ｂを下方に回動し、または上部主脚１ａを上方に回動して支柱脚１を開いてくると、図10〜図12に示すようにロックピン20の先端が第２の金具16に形成してある押圧部23の内側に入り込み、上部主脚１ａまたは下部主脚１ｂをさらに回動するとロックピン20は押圧部23でさらに内側に押されて第２の金具16の片21ａの内側にその先端が入り込む。
【００４９】
さらに上部主脚１ａまたは下部主脚１ｂを回動して全体を１本になる状態にすると、図13〜図15に示すようにロックピン20がロック孔22の位置に合致し、バネ19の弾力でロックピン20の先端がロック孔22に挿入し、ロックピン20がロック孔22に係合して第１の金具15と第２の金具16とが相互に固定され、下部主脚１ｂの上部に上部主脚１ａが固定される。この状態で解除レバー24はカム25のテーパー面25ａの低位置に係合している。
【００５０】
そして、手摺枠８、９を水平にセットするには、同じく踏桟２を上った状態で、踏板６ａの上に立って、下方に垂下している手摺枠本体12を引き上げる。これにより、ステイ13が手摺支柱４との回動軸着部を中心にして回動し、ステイ13が上方に回動しながら引き上げられるから、ステイ13と手摺枠本体12との回動軸着部が手摺支柱４の上端とほぼ水平に位置まで引き上げられたならば、手摺枠本体12を手摺支柱４に係止する。
【００５１】
両方の手摺枠８、９ともに同じ操作で手摺支柱４の両側に開くから、この状態で踏板６ａ上で作業する。作業する間、下部主脚１ｂの上部に上部主脚１ａがロックピン20でロックされた状態で固定されているから、作業中に支柱脚１が折れ曲がるおそれもなく安全である。
【００５２】
使用後、作業台５を折り畳むには、開く場合と逆に操作すればよいが、支柱脚１については、図13〜図15に示す状態から、図16〜図18に示すように解除レバー24を図において左方に回動する。これにより、図18に示すように解除レバー24がカム25のテーパー面25ａの最高部に位置し、ロックピン20の先端がロック孔22から抜け出る。よって、この状態で第１の金具15と第２の金具16とを開く方向に回動すれば、ロックピン20の先端が第２の金具16の片21ａの内側にそって移動し、上部主脚１ａと下部主脚１ｂとが閉じて平行で偏平な状態となる。
【００５３】
第１の金具15と第２の金具16とを開く方向に回動する工程の途中で、図19、図20に示すように作動ピン27の先端が係止爪28の下方に当接するが、これに逆らって第１の金具15と第２の金具16とを回動することで作動ピン27が係止爪28に押されて回動（図において反時計方向に回動）することになり、その結果、作動ピン27と一体のロックピン20が回動し、その後バネ19の弾力によりロックピン20の先端がロック孔22から突出し、復位して次回の開脚に備える。
【００５４】
また、ロックピン20がロック孔22から突出していない状態で支柱脚１を開こうとした場合、開脚操作の途中で図21、図22に示すように作動ピン27の先端下部が係止爪28の先端に当接するので、これに逆らって第１の金具15と第２の金具16とを回動することで作動ピン27が係止爪28に押されて回動（図において時計方向に回動）することになり、その結果、作動ピン27と一体のロックピン20が回動し、その後バネ19の弾力によりロックピン20の先端がロック孔22から突出してロックされる。
【００５５】
なお、図23、図24に示すように第１の金具15と第２の金具16との摺動面に位置させて第１の金具15にロック表示部30と解除表示部31とを設け、第２の金具16に確認窓32を形成しておけば、第１の金具15と第２の金具16との噛み合わせの程度により確認窓32からロック表示部30と解除表示部31とのいずれかが表示されるから、この表示を見れば第１の金具15と第２の金具16とがロック状態にあるか解除状態にあるかが一目で判別できる。この場合、ロック表示部30は青色の着色により、解除表示部31は赤色の着色により形成した。
【００５６】
また、図25、図26に示すように第２の金具16の片21ｂに解除レバー24のロックまたは解除位置を表示するロック表示部33と解除表示部34とを設けておけば、解除レバー24がロックまたは解除のいずれの位置にあるかが一目で分かる。この場合、ロック表示部33は青色のラベルにロックの文字を記載し、解除表示部34は赤色のラベルに解除の文字を記載するとともに、それぞれロックまたは解除のためのレバー24の回動方向を示し矢印を記した。
【００５７】
【発明の効果】
以上述べたように本発明の作業台は、梯子枠を折り畳み自在な構造とした作業台において、折り畳んだ状態ではもちろんのこと、対向する梯子枠の一方だけを折り畳めば、作業者が一人でも容易に運搬移動でき使い勝手のよいものであり、また、折り畳みや開脚もワンタッチ的に容易に行え、開脚状態で折れ曲がるおそれもなく安全性も向上するものである。
【図面の簡単な説明】
【図１】本発明の作業台の実施形態を示す側面図である。
【図２】本発明の作業台の実施形態を示す正面図である。
【図３】本発明の作業台の実施形態を示す平面図である。
【図４】本発明の作業台の実施形態を示す折り畳んだ状態の正面図である。
【図５】本発明の作業台の実施形態を示す折り畳んだ状態の側面図である。
【図６】本発明の作業台の実施形態を示す要部であるキャスター部分の側面図である。
【図７】本発明の作業台の実施形態を示す要部であるキャスター部分の平面図である。
【図８】本発明の作業台の実施形態を示す要部の連結金具の開いた状態の正面図である。
【図９】本発明の作業台の実施形態を示す要部の連結金具の開いた状態の平面図である。
【図１０】本発明の作業台の実施形態を示す要部の連結金具の閉じる途中状態の正面図である。
【図１１】本発明の作業台の実施形態を示す要部の連結金具の閉じる途中状態の側面図である。
【図１２】本発明の作業台の実施形態を示す要部の連結金具の閉じる途中状態の図１０のＡ−Ａ線断面図である。
【図１３】本発明の作業台の実施形態を示す要部の連結金具の閉じた状態の正面図である。
【図１４】本発明の作業台の実施形態を示す要部の連結金具の閉じた状態の側面図である。
【図１５】本発明の作業台の実施形態を示す要部の連結金具の閉じた状態の図１３のＢ−Ｂ線断面図である。
【図１６】本発明の作業台の実施形態を示す要部の連結金具を閉じてロック解除した状態の正面図である。
【図１７】本発明の作業台の実施形態を示す要部の連結金具の閉じてロック解除した状態の側面図である。
【図１８】本発明の作業台の実施形態を示す要部の連結金具の閉じてロック解除した状態の図１６のＣ−Ｃ線断面図である。
【図１９】本発明の作業台の実施形態を示す要部の連結金具の閉じる途中状態の縦断正面図である。
【図２０】本発明の作業台の実施形態を示す要部の連結金具の閉じる途中状態の横断平面図である。
【図２１】本発明の作業台の実施形態を示す要部の連結金具のロック位置で開く途中状態の縦断正面図である。
【図２２】本発明の作業台の実施形態を示す要部の連結金具のロック位置で開く途中状態の横断平面図である。
【図２３】本発明の作業台の実施形態を示す要部の連結金具の表示部の第１例を示すロック状態の正面図である。
【図２４】本発明の作業台の実施形態を示す要部の連結金具の表示部の第１例を示す解除状態の正面図である。
【図２５】本発明の作業台の実施形態を示す要部の連結金具の表示部の第２例を示すロック状態の正面図である。
【図２６】本発明の作業台の実施形態を示す要部の連結金具の表示部の第２例を示す解除状態の正面図である。
【図２７】本発明の作業台の使用状態の第１例を示す側面図である。
【図２８】本発明の作業台の使用状態の第２例を示す側面図である。
【図２９】作業台の従来例を示す斜視図である。
【図３０】作業台の従来例を示す折り畳んだ状態の側面図である。
【符号の説明】
１…支柱脚                      ２…踏桟
１ａ…上部主脚                  １ｂ…下部主脚
３…梯子枠                      ４…手摺支柱
５…作業台                      ６…踏板ユニット
６ａ…踏板                      ６ｂ…ステイ
８…手摺枠                      ９…手摺枠
10…連結金具                    11…回転金具
12…手摺枠本体                  13…ステイ
14…延長脚                      15…第１の金具
16…第２の金具                  17…ピン
18ａ、18ｂ…片                  19…バネ
20…ロックピン                  21ａ、21ｂ、21ｃ…片
22…ロック孔                    23…押圧部
24…解除レバー                  25…カム
25ａ…テーパー面                26…バネ受け
27…作動ピン                    28…係止爪
29…キャスター                  30…ロック表示部
31…解除表示部                  32…確認窓
33…ロック表示部                34…解除表示部
35…切欠き